(57)【要約】【課題】通常の負荷変動に対する出力電圧応答性能を確保した上で負荷短絡発生時に直流過電圧を抑制する。【解決手段】負荷短絡時の直流電圧出力値またはチョッパ位相基準値を記憶し、負荷短絡を検出したとき、直流電圧制限値またはチョッパ位相基準を、通常時の設定値または演算値から、負荷短絡検出時点に記憶された直流電圧出力値またはチョッパ位相基準値に切換える。【選択図】  図１
2004254436.tif 000002
【特許請求の範囲】
【請求項１】
直流を電源として制御された直流電圧を出力するチョッパ回路と、前記直流電圧を所定周波数の交流に変換するインバータ回路と、前記交流に含まれる高調波成分を除去し交流負荷に供給する交流フィルタと、この交流フィルタの出力交流電圧を与えられた交流電圧基準に一致させるためのチョッパ位相基準を生成する電圧制御演算器と、前記チョッパ回路の出力直流電圧と与えられた直流電圧制限値との直流電圧差分を演算する直流電圧制限演算器と、前記チョッパ位相基準から前記直流電圧差分を減算した値に基づいて前記チョッパ回路の位相制御を行うチョッパ位相器と、負荷の短絡を検出したとき前記インバータの出力パルス幅を絞ることにより短絡電流を抑制し、個々の負荷に直列に接続された給電用遮断器を選択遮断する手段とを備えたＣＶＣＦ電源装置において、負荷の短絡を検出したとき短絡時点の出力直流電圧値を記憶する記憶手段と、負荷の短絡を検出したとき前記直流電圧制限演算器に入力される直流電圧制限値を、前記記憶手段に記憶された出力直流電圧値に切換える切換手段とを設けたことを特徴とするＣＶＣＦ電源装置。
【請求項２】
直流を電源として制御された直流電圧を出力するチョッパ回路と、前記直流電圧を所定周波数の交流に変換するインバータ回路と、前記交流に含まれる高調波成分を除去して交流負荷に供給する交流フィルタと、前記チョッパ回路の出力直流電圧と与えられた直流電圧制限値との差分を演算する直流電圧制限演算器と、前記交流フィルタの出力交流電圧を与えられた交流電圧基準から前記直流電圧制限演算器によって演算された差分を減算して得られる基準値に一致させるためのチョッパ位相基準を生成する電圧制御演算器と、前記チョッパ位相基準に基づいて前記チョッパ回路の位相制御を行うチョッパ位相器と、負荷の短絡を検出したとき前記インバータの出力パルス幅を絞ることにより短絡電流を抑制し、個々の負荷に直列に接続された給電用遮断器を選択遮断する手段とを備えたＣＶＣＦ電源装置において、負荷の短絡を検出したとき短絡時点の出力直流電圧値を記憶する記憶手段と、負荷の短絡を検出したとき前記直流電圧制限演算器に入力される直流電圧制限値を、前記記憶手段に記憶された出力直流電圧値に切換える切換手段とを設けたことを特徴とするＣＶＣＦ電源装置。
【請求項３】
請求項１または２に記載のＣＶＣＦ電源装置において、負荷の短絡を検出したとき前記直流電圧制限演算器の制御ゲインを大なる方向に切換える切換手段を備えたことを特徴とするＣＶＣＦ電源装置。
【請求項４】
請求項１または２に記載のＣＶＣＦ電源装置において、負荷の短絡を検出したとき前記電圧制御演算器の制御ゲインを小なる方向に切換える切換手段を備えたことを特徴とするＣＶＣＦ電源装置。
【請求項５】
直流を電源として制御された直流電圧を出力するチョッパ回路と、前記直流電圧を所定周波数の交流に変換するインバータ回路と、前記交流に含まれる高調波成分を除去し交流負荷に供給する交流フィルタと、この交流フィルタの出力交流電圧を与えられた交流電圧基準に一致させるためのチョッパ位相基準を生成する電圧制御演算器と、前記チョッパ回路の出力直流電圧と与えられた直流電圧制限値との直流電圧差分を演算する直流電圧制限演算器と、前記チョッパ位相基準から前記直流電圧差分を減算した補正基準値に基づいて前記チョッパ回路の位相制御を行うチョッパ位相器と、負荷の短絡を検出したとき前記インバータの出力パルス幅を絞ることにより短絡電流を抑制し、個々の負荷に直列に接続された給電用遮断器を選択遮断する手段とを備えたＣＶＣＦ電源装置において、負荷の短絡を検出したとき短絡時点の前記補正基準値を記憶する記憶手段と、負荷の短絡を検出したとき前記チョッパ位相器に入力される補正基準値を、前記記憶手段に記憶された短絡時点の補正基準値に切換える切換手段とを設けたことを特徴とするＣＶＣＦ電源装置。
【発明の詳細な説明】
【０００１】
【発明の属する技術分野】
本発明はＣＶＣＦ電源装置、より詳細には、直流を電源としてチョッパ制御された直流電圧を出力するチョッパ回路と、チョッパ制御された直流電圧を交流に変換するインバータ回路と、交流に含まれる高調波成分を除去して交流負荷に供給する交流フィルタとを含むＣＶＣＦ電源装置に関するものである。
【０００２】
【従来の技術】
前述の型のＣＶＣＦ電源装置、すなわちチョッパ回路、インバータ回路、及び交流フィルタからなるＣＶＣＦ電源装置はすでに知られているところであり（例えば、特許文献１参照）、その構成例を図４に示す。なお、ここでＣＶＣＦ電源装置とは、定電圧・定周波数の交流電圧を交流フィルタ出力端に出力する電源装置の略称である。図４において、直流電源１の出力電圧はチョッパ回路２によって昇圧され、インバータ回路３により所望周波数の交流に変換される。インバータ回路３の出力電圧に含まれる高調波成分は交流フィルタ４により除かれ、共通の出力遮断器５及び各負荷毎の給電用遮断器６を介して各負荷７に供給される。
チョッパ回路２は出力電圧制御用のスイッチング素子１２を含み、インバータ回路３の各アーム素子はトランジスタからなるものが例示され、交流フィルタ４はリアクトル及びコンデンサから構成され、負荷７は抵抗及びリアクトルからなる一般的な等価回路として示されている。
【０００３】
電圧検出器８によって出力交流電圧が検出され、その検出電圧が電圧帰還信号として、電圧基準設定手段９により設定された電圧基準と比較され、その偏差がゲインＧ１のゲイン回路１０ａを有する電圧制御演算器１０により位相基準出力に変換される。この位相基準出力は、原理的には、チョッパ位相器１１によりチョッパ位相に変換され、スイッチング素子１２にゲート信号を送ってチョッパ回路２の出力電圧を制御する。負荷電流の増大によりフィルタ回路４における電圧降下が大きくなると前述の電圧制御演算器１０の位相基準出力によりチョッパの通流率が大きくなり直流電圧が高くなる方向となり、出力電圧を一定に制御する。
【０００４】
チョッパ回路２の出力直流電圧が直流電圧検出器１３によって検出され、直流電圧帰還信号として、直流電圧制限値設定手段１４からの電圧制限値と比較され、その差が、ゲインＧ１のゲイン回路１５ａ及びリミッタ１５ｂを有する直流電圧制限演算器１５によって増幅され、リミッタ１５ｂにより帰還値が制限値を上回った場合にのみ制限用位相基準を出力し、それを電圧制御演算器１０から出力される位相基準から、減算器３０においてチョッパ回路２の出力直流電圧が低くなる方向に減算して補正基準値を生成し直流電圧の上昇を抑える。直流電圧検出器１３からの直流電圧帰還信号はまた比較器１６において直流過電圧設定手段１７によって設定される過電圧設定値と比較され、過電圧となった場合、チョッパ位相器１１の出力ゲート信号を遮断して主回路を保護する。
【０００５】
負荷７に短絡事故が発生したとき、交流フィルタ４の放電電流が出力電流検出器１８によって検出され、その検出電流が出力電流帰還信号として、負荷短絡検出設定手段１９によって設定された負荷短絡設定値と比較器２０で比較され、出力電流帰還信号が負荷短絡設定値を超えていた場合、通常時位相設定手段２１により設定されていた位相基準から、負荷短絡時位相設定手段２２により設定された位相基準に、切換スイッチ２３により切換え、インバータ位相器２４を介してインバータ回路３にゲート信号が送られる。短絡時位相設定手段２２に設定されている負荷短絡時の位相基準は出力遮断器５の瞬時トリップ電流値以下、給電用遮断器６の瞬時トリップ電流値以上の電流を負荷短絡時に供給できるようにインバータ回路３の出力電圧を低下させるパルス幅に設定され、短絡が発生した負荷に直列の給電用遮断器６のみを選択遮断させ、出力遮断器５をトリップさせることなく運転を続行し得るようにしている。
【０００６】
【特許文献１】
特開昭６２−７１４３９号公報（第２−３頁、第１図）
【０００７】
【発明が解決しようとする課題】
しかしながら上記従来装置では、給電端に接続された負荷７での短絡により出力電圧帰還信号が低下すると出力電圧基準との偏差が瞬時に大きくなり、電圧制御演算器１０の出力は直流電圧上昇方向となり、このとき直流電圧制限演算器１５の応答が遅いと、直流電圧が上昇して直流過電圧となる。直流過電圧となることを防止するためには電圧制御演算器１０のゲインを小さくして電圧制御応答を遅くするか、直流電圧制限演算器１５のゲインを大きくして直流電圧制限による位相基準からの減算動作の応答速度を早くする必要があるが、電圧制御演算器１０のゲインを小さくした場合、通常運転中の負荷変動の場合に出力電圧制御の応答が遅くなり、また、直流電圧制限演算器１５のゲインを大きくした場合は、負荷漸増による直流電圧制限時にチョッパ位相基準が大きく絞られ、出力電圧不安定の要因となる。
【０００８】
したがって本発明は、通常の負荷変動に対する出力電圧応答性能を確保した上で負荷短絡発生時に直流過電圧の事態を引き起こさないＣＶＣＦ電源装置を提供することを目的とするものである。
【０００９】
【課題を解決するための手段】
上記目的を達成するために、請求項１に係る発明は、直流を電源として制御された直流電圧を出力するチョッパ回路と、直流電圧を所定周波数の交流に変換するインバータ回路と、交流に含まれる高調波成分を除去し交流負荷に供給する交流フィルタと、この交流フィルタの出力交流電圧を与えられた交流電圧基準に一致させるためのチョッパ位相基準を生成する電圧制御演算器と、チョッパ回路の出力直流電圧と与えられた直流電圧制限値との直流電圧差分を演算する直流電圧制限演算器と、チョッパ位相基準から直流電圧差分を減算した値に基づいてチョッパ回路の位相制御を行うチョッパ位相器と、負荷の短絡を検出したときインバータの出力パルス幅を絞ることにより短絡電流を抑制し、個々の負荷に直列に接続された給電用遮断器を選択遮断する手段とを備えたＣＶＣＦ電源装置において、負荷の短絡を検出したとき短絡時点の出力直流電圧値を記憶する記憶手段と、負荷の短絡を検出したとき直流電圧制限演算器に入力される直流電圧制限値を、記憶手段に記憶された出力直流電圧値に切換える切換手段とを設けたことを特徴とするものである。
【００１０】
請求項１に係る発明によれば、負荷短絡の際に急激な出力電圧の低下により電圧制御演算器の出力が電圧上昇方向となるが、直流電圧制限値を短絡検出時点の直流電圧値に切換えることによりただちに直流電圧制限演算器出力により電圧制御演算器の出力に対して減算が開始されるので、直流電圧制限演算器動作に遅れがあっても、直流過電圧検出に至る前に直流電圧が抑えられるので装置停止となることを防止することができる。
【００１１】
請求項２に係る発明は、直流を電源として制御された直流電圧を出力するチョッパ回路と、直流電圧を所定周波数の交流に変換するインバータ回路と、交流に含まれる高調波成分を除去して交流負荷に供給する交流フィルタと、チョッパ回路の出力直流電圧と与えられた直流電圧制限値との差分を演算する直流電圧制限演算器と、交流フィルタの出力交流電圧を与えられた交流電圧基準から直流電圧制限演算器によって演算された差分を減算して得られる基準値に一致させるためのチョッパ位相基準を生成する電圧制御演算器と、チョッパ位相基準に基づいてチョッパ回路の位相制御を行うチョッパ位相器と、負荷の短絡を検出したときインバータの出力パルス幅を絞ることにより短絡電流を抑制し、個々の負荷に直列に接続された給電用遮断器を選択遮断する手段とを備えたＣＶＣＦ電源装置において、負荷の短絡を検出したとき短絡時点の出力直流電圧値を記憶する記憶手段と、負荷の短絡を検出したとき直流電圧制限演算器に入力される直流電圧制限値を、記憶手段に記憶された出力直流電圧値に切換える切換手段とを設けたことを特徴とするものである。
【００１２】
請求項２に係る発明によれば、負荷短絡の際に急激な出力電圧の低下により電圧制御演算器の出力が電圧上昇方向となるが、直流電圧制限値を短絡検出時点の直流電圧値に切換えることによりただちに電圧制限演算器出力により出力電圧基準値に対して減算が開始されるので、電圧制限演算器動作に遅れがあっても、直流過電圧検出に至る前に直流電圧が抑えられ、したがって装置停止となることを防止することができる。
【００１３】
請求項３に係る発明は、請求項１または２に記載のＣＶＣＦ電源装置において、負荷の短絡を検出したとき直流電圧制限演算器の制御ゲインを大なる方向に切換える切換手段を備えたことを特徴とする。
【００１４】
請求項３に係る発明によれば、負荷短絡を検出した際は直流電圧制限演算器の制御ゲインを大きくすることにより減算量を大きく、応答速度を早くすることにより急峻な出力電圧の低下による出力電圧制御演算器の出力の上昇を抑制し、直流電圧が過電圧となることを防止することができるとともに、出力電圧の変動が急峻でない通常の負荷変動による直流電圧の上昇に対しては安定した制限動作を実施することができる。
【００１５】
請求項４に係る発明は、請求項１または２に記載のＣＶＣＦ電源装置において、負荷の短絡を検出したとき電圧制御演算器の制御ゲインを小なる方向に切換える切換手段を備えたことを特徴とする。
【００１６】
請求項４に係る発明によれば、負荷短絡を検出したときに電圧制御演算器制御ゲインを小さくすることにより急峻な出力電圧の低下による出力電圧制御演算器の出力の増加を抑えて直流電圧が過電圧となることを防止することができるとともに、通常時の負荷変動による直流電圧の上昇に対しては早い出力電圧制御動作を実現することができる。
【００１７】
請求項５に係る発明は、直流を電源として制御された直流電圧を出力するチョッパ回路と、直流電圧を所定周波数の交流に変換するインバータ回路と、交流に含まれる高調波成分を除去し交流負荷に供給する交流フィルタと、この交流フィルタの出力交流電圧を与えられた交流電圧基準に一致させるためのチョッパ位相基準を生成する電圧制御演算器と、チョッパ回路の出力直流電圧と与えられた直流電圧制限値との直流電圧差分を演算する直流電圧制限演算器と、チョッパ位相基準から直流電圧差分を減算した補正基準値に基づいてチョッパ回路の位相制御を行うチョッパ位相器と、負荷の短絡を検出したときインバータの出力パルス幅を絞ることにより短絡電流を抑制し、個々の負荷に直列に接続された給電用遮断器を選択遮断する手段とを備えたＣＶＣＦ電源装置において、負荷の短絡を検出したとき短絡時点の補正基準値を記憶する記憶手段と、負荷の短絡を検出したときチョッパ位相器に入力される補正基準値を、記憶手段に記憶された短絡時点の補正基準値に切換える切換手段とを設けたことを特徴とする。
【００１８】
請求項５に係る発明によれば、負荷短絡を検出したときの位相基準を記憶して切換えることにより、急激な出力電圧の低下による出力電圧制御演算器の演算結果の増加の影響を受けずに直流電圧を一定に維持して直流過電圧となることを防止するとともに、通常の負荷変動に対しての出力電圧応答性能を確保することができる。
【００１９】
【発明の実施の形態】
＜第１の実施の形態＞
本発明によるＣＶＣＦ電源装置の第１の実施の形態を図１に示す。図１において、図４の回路要素と同一の回路要素には同一符号を付して示している。本実施の形態によるＣＶＣＦ電源装置は、通常運転中に直流電圧検出器１３によって検出された直流電圧を常閉型のスイッチ２６を介してメモリ２５に常に更新しながら保存する。直流電圧制限値設定手段１４の設定値は、スイッチ２６と連動する切換スイッチ２７の常閉型接点を介して直流電圧制限演算器１５に入力される。
切換スイッチ２７が動作した時は、その動作時のメモリ２５のメモリ値が切換スイッチ２７の常開型接点を介して直流電圧制限演算器１５に入力される。スイッチ２６及び切換スイッチ２７は比較器２０の動作出力によって駆動される。電圧制御演算器１０にはゲインＧ１のゲイン回路１０ａのほかに、ゲインＧ２（＜Ｇ１）のゲイン回路１０ｂを備え、ゲイン回路１０ａには比較器２０の動作出力によって駆動される常閉型スイッチ１０ｃが直列に接続され、ゲイン回路１０ｂには比較器２０の動作出力によって駆動される常開型スイッチ１０ｄが直列に接続されている。同様に、直流電圧制限演算器１５には、ゲインＧ３のゲイン回路１５ａ、及びゲインＧ４（＞Ｇ３）のゲイン回路１５ｃを備え、ゲイン回路１５ａには比較器２０の動作出力によって駆動される常閉型スイッチ１５ｄが直列に接続され、ゲイン回路１５ｃには比較器２０の動作出力によって駆動される常開型スイッチ１５ｅが直列に接続されている。他の構成部分は図４の回路構成と同一である。
【００２０】
上記回路構成において、負荷短絡を生じていない時は、図４を参照して述べた通常動作と全く同様の動作をする。しかし、負荷短絡が発生した時は、出力電流検出器１８で検出される出力電流が負荷短絡検出設定手段１９で設定される負荷短絡設定値を超えるので、比較器２０から負荷短絡が生じたことを意味する動作信号が出力され、その動作信号によりスイッチ２６が開放してメモリ２５の直流電圧入力更新が中止され、メモリ２５は短絡発生時点の直流電圧を保持することになる。また、この時、同時に切換スイッチ２７により直流電圧制限演算器１５において直流電圧帰還信号から減算される直流電圧制限値信号が、直流電圧制限値設定手段１４の信号から前述の短絡発生時点の直流電圧値であるメモリ２５のメモリ値信号に切換えられる。
【００２１】
以上により、負荷短絡発生時に出力電圧帰還信号が低下して電圧制御演算器１０の位相基準出力が直流電圧増方向となっても、直流電圧制限演算器１５の出力によりチョッパ位相器１１に入力される位相基準は短絡発生時の直流電圧値を維持するように切換えられ、比較器１６により直流過電圧を検出してチョッパ位相器１１及びインバータ位相器２４によりゲート遮断して装置の停止を防止することができる。
【００２２】
直流電圧制限演算器１５においては、通常時はスイッチ１５ｄがオン状態で直流電圧検出器１３からの直流電圧帰還信号が直流電圧制限値設定手段１４からの直流電圧制限値を上回るとその差分はゲイン回路１５ａにより演算される。ゲイン回路１５ａは過負荷の際に直流過電圧とならないように制限するためのもので、動作の際に直流電圧を絞り過ぎて出力電圧が大きく変動しないようなゲインＧ３に設定される。比較器２０により負荷短絡発生が検出されるとスイッチ１５ｅがオン状態となり、ゲイン回路１５ｃにゲイン回路１５ａのゲインＧ３よりも大きなゲインＧ４を設定することにより負荷短絡による出力電圧の急峻な低下による位相基準の増加を抑えることことができる。
【００２３】
電圧制御演算器１０においては、通常時はスイッチ１０ｃがオン状態で出力電圧検出器８からの出力電圧帰還信号と出力電圧基準設定手段９からの電圧基準信号との差分値がゲイン回路１０ａのゲインＧ１により演算される。この演算結果は位相基準としてチョッパ位相器１１に出力される。ゲイン回路１０ａのゲインＧ１は負荷の投入や遮断が発生した際の出力電圧の変動を抑制するためゲインを大きくして応答を早くしている。比較器２０により負荷短絡が検出されるとスイッチ１０ｄがオン状態となる。しかるにゲイン回路１０ｂのゲインＧ２にはゲイン回路１０ａのゲインＧ１よりも小さなゲインを設定しておくことにより、負荷短絡による出力電圧の急峻な低下に対して応答を遅くし、位相基準出力の増加を抑えることができる。
【００２４】
なお、比較器２０の動作出力によって互いに排反的に駆動される常閉接点型スイッチ１０ｃ及び常開接点型スイッチ１０ｄ、並びに常閉接点型スイッチ１５ｄ及び常開接点型スイッチ１５ｅはそれぞれ一つの切換スイッチによって置換えることができる。
【００２５】
＜第２の実施の形態＞
図２は本発明によるＣＶＣＦ装置の第２の実施の形態を示すものである。図２の装置が図１の装置と異なる部分は、直流電圧制限演算器１５の出力を電圧制御演算器１０の入力側に持ってくるとともに、電圧基準設定手段９からの電圧基準を電圧検出器８からの電圧帰還信号と比較する前に、直流電圧制限演算器１５の出力を圧基準設定手段９からの電圧基準から減算し、その差分を電圧検出器８からの電圧帰還信号と比較し、その差分を電圧制御演算器１０に入力するようにしたことである。他の回路部分は図１の回路と変わりが無い。なお、図２の回路と図１の回路の大きな相違点は、直流電圧制限演算器１５の出力による減算を電圧制御演算器１０の出力側で行う（図１）か、入力側で行う（図２）かということにある。
【００２６】
図２の回路構成によれば、直流電圧制限演算器１５の出力が電圧基準設定手段９の出力である電圧基準から減算されることにより電圧制御演算器１０に入力される偏差量を小さくして、チョッパ位相器１１に入力される位相基準を短絡発生時の直流電圧に維持する値とし、比較器１６により直流過電圧を検出してチョッパ位相器１１及びインバータ位相器２４によりゲート遮断して装置が停止することを防止することができる。
【００２７】
ここでも比較器２０の動作出力によって互いに排反的に駆動される常閉接点型スイッチ１０ｃ及び常開接点型スイッチ１０ｄ、並びに常閉接点型スイッチ１５ｄ及び常開接点型スイッチ１５ｅはそれぞれ一つの切換スイッチによって置き換えることができる。
【００２８】
＜第３の実施の形態＞
図３は本発明によるＣＶＣＦ装置の第３の実施の形態を示すものである。図３の装置は、図４の装置を基本とし、それに位相基準記憶用メモリ２９を設けたものに相当する。すなわち、図３の装置においては、図１，２の直流電圧記憶用メモリ２５及び切換スイッチ２７を省略し、それに代えて、チョッパ位相器１１の入力側に位相基準記憶用メモリ２９を設けるとともに、チョッパ位相器１１への入力を切換える切換スイッチ３１を設けている。切換スイッチ３１は、比較器２０の動作出力によって切換えられ、常時は常閉接点を介して電圧制御演算器１０の出力をチョッパ位相器１１に導き、負荷短絡時にはチョッパ位相器１１に常開接点を介してメモリ２９のメモリ値を導く。メモリ２９は常時はスイッチ２８を介してチョッパ位相器１１への入力位相基準信号を記憶し逐次更新しているが、比較器２０により過負荷が検出された時は、スイッチ２８をオフにしてメモリ２９の記憶値を負荷短絡時点の位相基準に固定するとともに、切換スイッチ３１をメモリ２９側に切換える。
【００２９】
図３の装置においては、通常時はチョッパ位相器１１に電圧制御演算器１０の出力による位相基準が入力され、またスイッチ２８を経由してメモリ２９に逐次保存される。比較器２０により負荷短絡が検出されるとスイッチ２８はオフ状態となり、メモリ２９には負荷短絡検出時点の位相基準が保存される。また保存値は切換スイッチ３１を介してチョッパ位相器１１に送られる。これにより、負荷短絡発生の前後で位相基準が一定となっているためチョッパ回路２の通流率は変化せず、負荷短絡時の出力電圧の急峻な低下による電圧制御演算器１０の出力増大に影響されることなく、また直流電圧制限演算器１５の応答に依存することなしに、直流電圧の上昇を抑えることができる。
【００３０】
【発明の効果】
本発明によれば、通常の負荷変動に対する応答性能を確保した上で、負荷短絡発生時の直流過電圧を抑制し、装置を継続運転することができる。
【図面の簡単な説明】
【図１】本発明によるＣＶＣＦ電源装置の第１の実施の形態を示すブロック図。
【図２】本発明によるＣＶＣＦ電源装置の第２の実施の形態を示すブロック図。
【図３】本発明によるＣＶＣＦ電源装置の第３の実施の形態を示すブロック図。
【図４】従来のＣＶＣＦ電源装置の構成例を示すブロック図。
【符号の説明】
１  直流電源
２  チョッパ回路
３  インバータ回路
４  交流フィルタ
５  出力遮断器
６  給電用遮断器
７  負荷
８  電圧検出器
９  電圧基準設定手段
１０  電圧制御演算器
１０ａ，１０ｂ  電圧制御ゲイン回路
１０ｃ，１０ｄ，１５ｄ，１５ｅ，２３，２６，２８  スイッチ
１１  チョッパ位相器
１２  スイッチング素子
１３  直流電圧検出器
１４  直流電圧制限値設定手段
１５  直流電圧制限演算器
１５ａ，１５ｃ  電圧制限ゲイン
１５ｂ  リミッタ
１６、２０  比較器
１７  直流過電圧設定手段
１８  出力電流検出器
１９  負荷短絡検出設定手段
２１  通常時位相設定手段
２２  負荷短絡時位相設定手段
２４  インバータ位相器
２５，２９  メモリ
２７，３１  切換スイッチ
３０  減算器
【図１】
2004254436.tif 000003
【図２】
2004254436.tif 000004
【図３】
2004254436.tif 000005
【図４】
2004254436.tif 000006